(57)【特許請求の範囲】
【請求項１】
正面側に画像を表示する矩形状の表示部と、該表示部の正面側に配置された枠状のフロントキャビネットと、前記表示部の背面側に配置された矩形状のリアキャビネットとを備える表示装置において、
前記リアキャビネットは、矩形状の複数の分体の一部が重なって複数のビスで連結されて構成されており、
連結される二つの分体の内、一方の分体の一辺に沿った周縁部には、前記複数のビスが貫通する複数の貫通孔が形成されてあり、
他方の分体は、前記周縁部の内面側に重なるように、外面から内面側に寄った位置で外面に平行に外面の一辺よりも突出した重なり部と、前記一辺に沿って該重なり部の内面に設けられたリブと、該リブから前記重なり部と同一の向きに外面に平行に突出し、前記一辺に沿った平行部材とを有し、
前記複数の貫通孔を貫通した前記複数のビスが挿入される複数のボスが、前記リブの前記平行部材が突出した側の面に接合して設けられてあり、前記リブの前記複数のボスの夫々が接合した部分で、前記平行部材が分断されていること
を特徴とする表示装置。
【請求項２】
前記一方の分体の内面に、前記リブに並行して前記平行部材に当接する他のリブが設けられてあること
を特徴とする請求項１に記載の表示装置。
【請求項３】
前記重なり部の突出した端の部分は、前記他方の分体の外面側から内面側へ傾斜していること
を特徴とする請求項２に記載の表示装置。
【請求項４】
請求項１から３までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、薄型・大型の表示装置及びテレビジョン受信機に関する。
【背景技術】
【０００２】
テレビジョン受信機及びインフォメーションディスプレイ等に用いられる表示装置は、近年、液晶パネル又はＥＬ（Electro Luminescence）パネル等の表示パネルを備えた薄型のものが多い。薄型の表示装置では、表示パネルを含む矩形平板状の表示部がシャーシに取り付けられており、表示部の正面側に矩形枠状のフロントキャビネットが備えられ、表示部の背面を覆うリアキャビネットが備えられている。近年では、９０インチ型等のより大型化及び薄型化が進んだ表示装置が開発されている。フロントキャビネット及びリアキャビネットは、薄い壁面が多く強度が低い構造になり易いので、内側に補強用のリブが設けられている。特許文献１には、キャビネットの内側壁面に補強用のリブを設けてある表示装置が開示されている。
【先行技術文献】
【特許文献】
【０００３】
【特許文献１】特開２００５−２６８８６８号公報
【発明の概要】
【発明が解決しようとする課題】
【０００４】
９０型等の大型の表示装置では、リアキャビネットが巨大になり、一体で作成することは困難であるので、リアキャビネットを複数の分体に分割して作成し、個々に作成した分体をビスで連結することでリアキャビネットを構成することが考えられる。分体の連結部分は強度が不足し易いので、補強用の部材を設けて強度を保つ必要がある。しかしながら、連結部分には、連結用のビスが螺入されるボスを設ける必要があり、ボスと同じ場所には補強用の部材を設け難い。このため、連結部分のボスを設けた部分の強度不足が発生する虞がある。
【０００５】
本発明は、斯かる事情に鑑みてなされたものであって、その目的とするところは、補強用の部材を適切に配置することによってリアキャビネットの連結部分の強度不足を防止した表示装置及びテレビジョン受信機を提供することにある。
【課題を解決するための手段】
【０００６】
本発明に係る表示装置は、正面側に画像を表示する矩形状の表示部と、該表示部の正面側に配置された枠状のフロントキャビネットと、前記表示部の背面側に配置された矩形状のリアキャビネットとを備える表示装置において、前記リアキャビネットは、矩形状の複数の分体の一部が重なって複数のビスで連結されて構成されており、連結される二つの分体の内、一方の分体の一辺に沿った周縁部には、前記複数のビスが貫通する複数の貫通孔が形成されてあり、他方の分体は、前記周縁部の内面側に重なるように、外面から内面側に寄った位置で外面に平行に外面の一辺よりも突出した重なり部と、前記一辺に沿って該重なり部の内面に設けられたリブと、該リブから前記重なり部と同一の向きに外面に平行に突出し、前記一辺に沿った平行部材とを有し、前記複数の貫通孔を貫通した前記複数のビスが挿入される複数のボスが、前記リブの前記平行部材が突出した側の面に接合して設けられてあり、前記リブの前記複数のボスの夫々が接合した部分で、前記平行部材が分断されていることを特徴とする。
【０００７】
本発明に係る表示装置は、前記一方の分体の内面に、前記リブに並行して前記平行部材に当接する他のリブが設けられてあることを特徴とする。
【０００８】
本発明に係る表示装置は、前記重なり部の突出した端の部分は、前記他方の分体の外面側から内面側へ傾斜していることを特徴とする。
【０００９】
本発明に係るテレビジョン受信機は、本発明に係る表示装置と、テレビジョン放送を受信する受信部とを備え、前記受信部で受信したテレビジョン放送に基づいて前記表示装置で映像を表示するようにしてあることを特徴とする。
【００１０】
本発明においては、表示装置（テレビジョン受信機）が備えるリアキャビネットは、複数の分体がビスによって連結されて構成されている。連結される一方の分体には、一辺を含む帯状の周縁部が設けられている。他方の分体には、周縁部に裏側から重なる重なり部と、一辺に沿ったリブと、リブから外面に平行に突出した平行部材とが設けられており、リブ及び平行部材が分体を補強している。リブには、分体同士を連結するためのビスが挿入されるボスが設けられており、ボスの位置で平行部材が分断されている。
【００１１】
また、本発明においては、連結される一方の分体の内面には、一辺に沿った他のリブが設けられている。他のリブは、他方の分体のリブに並行し、平行部材に当接する。このため、二つの分体の連結部分が補強される。
【００１２】
また、本発明においては、重なり部の端縁は、外面側から内面側へ傾斜した傾斜部になっている。分体同士を連結させてリアキャビネットを組み立てる作業時に、一方の分体の他のリブの端が他方の分体の傾斜部に沿って滑り、分体同士の位置合わせが行われる。
【発明の効果】
【００１３】
本発明にあっては、リアキャビネットを構成する複数の分体の連結部分の強度不足が防止され、リアキャビネットは、複数の分体を連結した構造であっても、強度が適切に保たれる等、優れた効果を奏する。
【図面の簡単な説明】
【００１４】
【図１】テレビジョン受信機の模式的斜視図である。
【図２】テレビジョン受信機の模式的な分解斜視図である。
【図３】リアキャビネットの背面図である。
【図４】分体の夫々の背面図である。
【図５】リアキャビネットの分体と分体との連結部分を分離して拡大した部分正面図である。
【図６】リアキャビネットの分体と分体との連結部分を分離して拡大した部分背面図である。
【図７】リアキャビネットの分体と分体との連結部分を分離して拡大した部分斜視図である。
【図８】リアキャビネットの分体と分体との連結部分の内面側を拡大した斜視図である。
【図９】図８のＩＸ−ＩＸ線断面図である。
【図１０】分体と分体とを連結させる作業の途中の状態を示す模式的断面図である。
【発明を実施するための形態】
【００１５】
以下本発明をその実施の形態を示す図面に基づき具体的に説明する。
図１は、テレビジョン受信機の模式的斜視図であり、図２はテレビジョン受信機の模式的な分解斜視図である。テレビジョン受信機は、例えば９０インチ型のテレビジョン受信機であり、本発明の表示装置を備えたものである。テレビジョン受信機は、液晶パネル又はＥＬパネル等の表示パネルを含んだ矩形平板状の表示部２を備えており、表示部２は金属製のシャーシ４に固定されている。表示部２は、バックライト及び映像処理回路等を含んでいる。また、テレビジョン受信機は、表示部２の正面側に矩形枠状のフロントキャビネット３を備えている。フロントキャビネット３は、金属又は樹脂で形成されており、シャーシ４に固定されている。表示部２及びシャーシ４の周縁部分がフロントキャビネット３で覆われている。フロントキャビネット３は、複数の部品で構成されていてもよい。また、テレビジョン受信機は、表示部２及びシャーシ４の背面を覆うリアキャビネット１を備えている。テレビジョン受信機は、更に、図示しない受信部、入出力インタフェース、制御基板、スピーカ及び電源等の他の部品を備えており、これらの部品はシャーシ４に固定されている。図示しない受信部は、テレビジョン放送を受信し、表示部２は、受信部で受信したテレビジョン放送に基づいた映像を表示する。なお、テレビジョン受信機は、受信部が分離された形態であってもよい。
【００１６】
図３は、リアキャビネット１の背面図である。テレビジョン受信機の背面はリアキャビネット１の外面になっている。リアキャビネット１は、樹脂で全体として矩形状に形成されている。リアキャビネット１は、テレビジョン受信機の他の部品に比べても巨大であり、一体で作成することが困難であるので、三つの分体１１，１２，１３に分割して作成されている。図４は、分体１１，１２，１３の夫々の背面図である。分体１１，１２，１３の夫々は、リアキャビネット１の全体を短手方向に切断した矩形の形状になっている。分体１１，１２，１３の夫々は、外面に交差する複数のビスで互いに連結されて、リアキャビネット１として組み立てられる。リアキャビネット１は、分体１１と分体１２とが連結され、分体１２と分体１３とが連結されて構成されている。また、リアキャビネット１は、ビスでシャーシ４に固定されている。リアキャビネット１の一部はフロントキャビネット３に係止されてもよい。
【００１７】
図５は、リアキャビネット１の分体１１と分体１２との連結部分を分離して拡大した部分正面図である。テレビジョン受信機の正面はリアキャビネット１の内面になっている。図６は、リアキャビネット１の分体１１と分体１２との連結部分を分離して拡大した部分背面図である。分体１１の一辺部には連結部５が設けられ、分体１２の一辺部には連結部６が設けられている。連結部５と連結部６とが重なって複数のビスで連結されることにより、分体１１と分体１２とが連結される。本実施の形態では、分体１１の連結部５が分体１２の連結部６よりも背面側に配置された状態で連結される形態を示している。また、分体１２の他の一辺部には、分体１３と連結されるための他の連結部が設けられている。
【００１８】
図７は、リアキャビネット１の分体１１と分体１２との連結部分を分離して拡大した部分斜視図である。連結部５は、分体１１の一辺に沿った帯状の周縁部５１を含んでいる。周縁部５１は、外面の一辺から所定幅だけ内側へ寄った領域を含む分体１１の一辺部分である。周縁部５１の厚みは、分体１１の主要部分の厚みと同等である。また連結部５は、内面から一定長突出し、内面の端辺から所定距離離れた位置で分体１１の辺に平行に設けられた第３リブ５２を含んでいる。第３リブ５２は、内面から突出していることによって、テレビジョン受信機の正面方向へ突出している。また、第３リブ５２は、内面から突出していることによって、全体的に薄板状になっている分体１１を補強している。第３リブ５２は、周縁部５１と分体１１の連結部５以外の部分との境界ともなっている。更に、周縁部５１の内面側には、内面から正面側へ向けて凸になったボス５４が設けられている。ボス５４には、背面側からビスが貫通するための、周縁部５１の外面から内面まで貫通した複数の貫通孔５３が設けられている。複数の貫通孔５３は、周縁部５１の長手方向に沿って並設されている。分体１１と分体１２とが連結した状態では、ボス５４は分体１２の連結部６へ向けて凸になっている。ボス５４の周囲では、第３リブ５２は他の部分よりも分体１１の辺から離れており、第３リブ５２の形状は内面上でボス５４を迂回した形状になっている。
【００１９】
連結部６は、矩形状の分体１２の一辺から突出した帯状の部分である。図８は、リアキャビネット１の分体１１と分体１２との連結部分の内面側を拡大した斜視図であり、図９は、図８のＩＸ−ＩＸ線断面図である。図９の上側はテレビジョン受信機の背面側であり、下側は正面側である。図６、図７及び図９に示すように、連結部６は、周縁部５１の内面側に重なるための重なり部６１を含んでいる。重なり部６１は、分体１２の外面の一辺から外面に平行に所定の幅だけ突出しており、一辺に沿った帯状になっている。また、重なり部６１は、周縁部５１の裏側に重なることができるように、分体１２の外面よりも周縁部５１の厚さ分内面側に寄った位置に設けられている。分体１１と分体１２とが連結した状態では、分体１１の外面と分体１２の外面とはほぼ同一面となり、重なり部６１は周縁部５１の内面側で重なっている。
【００２０】
また、連結部６は、重なり部６１の突出した端縁から内面に垂直に一定長突出した第１リブ６２を含んでいる。第１リブ６２は、分体１２の辺及び重なり部６１の長手方向に沿っている。また、第１リブ６２は、内面に垂直に突出していることによって、テレビジョン受信機の正面方向へ突出している。分体１１と分体１２とが連結した状態では、第１リブ６２は第３リブ５２と並行している。
【００２１】
更に、連結部６は、第１リブ６２から重なり部６１と同一の向きに外面に平行に突出した平行部材６３を含んでいる。平行部材６３は、第１リブ６２に沿って帯状になっている。平行部材６３は、第３リブ５２の突出した端縁が当接する位置に設けられている。分体１１と分体１２とが連結した状態では、第３リブ５２と第１リブ６２とは並行し、第３リブ５２の端縁は平行部材６３に当接している。第１リブ６２が分体１２の内面から突出し、平行部材６３が第１リブ６２から外面に平行に突出していることによって、第１リブ６２及び平行部材６３は分体１２の端部を補強している。また、第３リブ５２が平行部材６３に当接していることによって、分体１１と分体１２との連結部分が補強されている。
【００２２】
連結部６には、背面側からビスが挿入されるための複数のボス６４が設けられており、ボス６４にはビスが挿入されるねじ穴６５が形成されている。貫通孔５３を背面側から貫通したビスをねじ穴６５へ螺入して固定することによって、分体１１と分体１２とが連結されている。なお、ビスを固定する方法は、ビスをねじ穴６５に螺合する方法に限るものではなく、ビスは他の方法で固定されてもよい。
【００２３】
ボス６４は、分体１２の外面に垂直にビスが挿入されるように、内面に垂直な形状になっており、第１リブ６２に接合して設けられている。ボス６４は、第１リブ６２の外側の面、即ち平行部材６３が突出した側の面に接合している。実際には、分体１２の形成時に、複数のボス６４は第１リブ６２と一体に形成される。ボス６４が第１リブ６２と一体に形成されていることによって、第１リブ６２のボス６４が設けられている部分には、平行部材６３を設けることができない。このため、第１リブ６２に沿って設けられている平行部材６３は、ボス６４の両側で分断されている。
【００２４】
分体１２は、内面のボス６４の近傍に、内面に垂直な第２リブ６６を備えている。第２リブ６６は、第１リブ６２よりも分体１２の中央側へ寄った位置に、分体１２の内面及び重なり部６１の内面から突出して設けられている。第２リブ６６の正面視の形状は、第１リブ６２のボス６４が設けられた部分の裏側を囲うようにＵ字状になっている。第１リブ６２の裏側は、平行部材６３が突出した面とは逆の面の側であり、分体１２の中央側である。また、第２リブ６６は第１リブ６２に二箇所で結合している。第２リブ６６が第１リブ６２に結合した位置は、第１リブ６２に沿ったボス６４の両脇の夫々で平行部材６３が突出している部分の裏側の位置である。即ち、第２リブ６６は、ボス６４の両側で平行部材６３に結合し、第１リブ６２の平行部材６３が設けられていない部分を第１リブ６２よりも分体１２の中央側で囲んでいる。第２リブ６６は、このように設けられていることによって、分体１２の平行部材６３が設けられていない部分を補強している。
【００２５】
図５に示すように、複数のボス６４の夫々が設けられた部分で、平行部材６３が設けられておらず、分体１２には複数の第２リブ６６が設けられている。複数の第２リブ６６が設けられていることによって、分体１２がより補強されている。なお、全てのボス６４の近傍に第２リブ６６が設けられている必要はなく、他の構造物等によって十分に強度が保たれている部分では第２リブ６６が設けられていなくてもよい。また、第２リブ６６の正面視の形状は、第１リブ６２の平行部材６３が設けられていない部分を第１リブ６２よりも内側で囲む形状であれば、Ｕ字状以外の形状であってもよい。例えば、第２リブ６６の正面視の形状は、円弧状であってもよい。
【００２６】
また、図９に示すように、重なり部６１の突出した端縁は、分体１２の外面側から内面側へ傾斜した傾斜部６７になっている。傾斜部６７は、重なり部６１の周縁部５１に重なる面と第１リブ６２の第３リブ５２に対向する面とを結ぶ傾斜面である。分体１１と分体１２とを連結させる作業の際には、作業者は、分体１１を分体１２の背面側から近づけて周縁部５１を重なり部６１に重ねる作業を行う。図１０は、分体１１と分体１２とを連結させる作業の途中の状態を示す模式的断面図である。連結の作業時には、周縁部５１と重なり部６１とが正確に重なるように分体１１と分体１２との位置合わせを行う必要がある。この際、図１０に示すように、分体１１の位置がずれて、第３リブ５２の端縁が重なり部６１に衝突することがある。このとき、第３リブ５２の端縁は傾斜部６７に接触し、傾斜部６７に沿って滑り、図９に示すように分体１１と分体１２との位置合わせが円滑に行われる。このように、傾斜部６７が設けられていることによって、分体１１と分体１２とを連結する作業が容易となり、リアキャビネット１１及びテレビジョン受信機を組み立てる工程が簡略化される。なお、傾斜部６７の形状は、一定の傾きの形状に限るものではなく、円弧等のように傾きが位置によって変化している形状であってもよい。
【００２７】
分体１３と分体１２との連結部分も同様の構造となっており、分体１３に連結部５が設けられ、分体１２の他の一辺に沿って連結部６が設けられてあり、ビスによって連結される。
【００２８】
以上のように、複数の分体に分割されたリアキャビネット１では、互いに連結される一方の分体１１の一辺を含む周縁部５１と一辺に沿った第３リブ５２とが設けられており、第３リブ５２が分体１１を補強している。他方の分体１２には、周縁部５１に裏側で重なる重なり部６１と、内面に垂直で外面の一辺に沿った第１リブ６２と、第１リブ６２から外面に平行に突出した平行部材６３とが設けられており、第１リブ６２及び平行部材６３が分体１２を補強している。第１リブ６２には、分体１１と分体１２とを連結するためのビスが挿入されるボス６４が設けられている。第１リブ６２のボス６４が設けられた部分には平行部材６３が設けられておらず、この部分で分体１２の強度が不足している。そこで、第１リブ６２よりも分体１２の中央側でボス６４を囲むように、内面に垂直な第２リブ６６が設けられており、第２リブ６６はボス６４の両側の平行部材６３に結合している。第２リブ６６によって、平行部材６３が設けられていない部分が補強される。従って、リアキャビネット１を構成する分体の連結部分の強度不足が防止され、リアキャビネット１は、複数の分体を連結した構造であっても、強度が適切に保たれる。
【００２９】
なお、本実施の形態においては、リアキャビネット１の連結部分において分体１１，１３が分体１２よりも背面側に配置された形態を示したが、分体間の位置関係はこれに限るものではなく、その他の位置関係であってもよい。また、本実施の形態においては、リアキャビネット１の全体を短手方向に切断した形状の三つの分体１１，１２，１３からリアキャビネット１が構成された形態を示したが、リアキャビネット１は、その他の形状の複数の分体から構成された形態であってもよい。例えば、リアキャビネット１は、二つの分体から構成された形態であってもよく、四つ以上の分体から構成された形態であってもよい。また例えば、リアキャビネット１は、リアキャビネット１の全体を長手方向に切断した形状の複数の分体から構成された形態であってもよく、リアキャビネット１の全体を長手方向及び短手方向に切断した形状の複数の分体から構成された形態であってもよい。これらの形態においても、分体間の連結部分は、本実施の形態と同様の構成となっている。
【００３０】
また、本実施の形態においては、本発明の表示装置がテレビジョン受信機に備えられた形態を示したが、表示装置はその他の形態であってもよい。例えば、本発明の表示装置は、インフォメーションディスプレイであってもよい。
【符号の説明】
【００３１】
１  リアキャビネット
１１、１２、１３  分体
２  表示部
３  フロントキャビネット
４  シャーシ
５，６  連結部
５１  周縁部
５２  第３リブ
５３  貫通孔
６１  重なり部
６２  第１リブ
６３  平行部材
６４  ボス
６６  第２リブ
【図１】
0005622907.tif 000002
【図２】
0005622907.tif 000003
【図５】
0005622907.tif 000004
【図６】
0005622907.tif 000005
【図７】
0005622907.tif 000006
【図８】
0005622907.tif 000007
【図９】
0005622907.tif 000008
【図１０】
0005622907.tif 000009
【図３】
0005622907.tif 000010
【図４】
0005622907.tif 000011